(57)【要約】【課題】  逆方向電圧印加の破損を防ぐダイオードは一般に高価であるため、多数の太陽電池セルを接続してなる太陽電池のコスト上昇の要因の１つとなっていた。【解決手段】  受光面側に第１の極性の電極を有し、裏面側に第２の極性の電極を有する第１および第２の太陽電池セルと、互いに電気的に独立した２つの第２の極性の電極と、第１の極性の電極を有するダイオードを用いて、第１の太陽電池セルの第１の極性の電極と第２の太陽電池セルの第２の極性の電極とを接続し、第１の太陽電池セルの第２の極性の電極とダイオードの第１の極性の電極を接続し、ダイオードの第２の極性の電極の一方の電極と第２の太陽電池セルの第１の極性の電極とを接続し、ダイオードの第２の極性の電極の他の電極と第２の太陽電池セルの第２の極性の電極とを接続する。【選択図】  図１
2013138109.tif 000002
【特許請求の範囲】
【請求項１】
太陽光を受光する受光面側に第１の極性の電極を有し、前記受光面と反対の裏面側に前記第１の極性と異なる第２の極性の電極を有する互いに隣接する第１の太陽電池セルおよび第２の太陽電池セルと、
前記第２の極性を有し互いに電気的に分離された２つの電極と、前記第１の極性の電極を有するダイオードと、を有するダイオード組込み太陽電池であって、
前記第１の太陽電池セルの前記第１の極性の電極と、前記第２の太陽電池セルの前記第２の極性の電極を接続する第１のコネクタと、
前記第１の太陽電池セルの前記第２の極性の電極と、前記ダイオードの前記第１の極性の電極を接続する第２のコネクタと、
前記第２の太陽電池セルの前記第２の極性の電極と、前記ダイオードの前記第２の極性の電極のうち一方の電極を接続する第３のコネクタと、
前記第２の太陽電池セルの前記第１の極性の電極と、前記ダイオードの前記第２の極性の電極の他方の電極を接続する第４のコネクタと、
を備えることを特徴とするダイオード組込み太陽電池。
【請求項２】
太陽光を受光する受光面側に第１の極性の電極を有し、前記受光面と反対の裏面側に前記第１の極性と異なる第２の極性の電極を有する互いに隣接する第１の太陽電池セルおよび第２の太陽電池セルと、
前記第２の極性を有し互いに電気的に分離された２つの電極と、前記第１の極性の電極を有するダイオードと、を有するダイオード組込み太陽電池であって、
前記第１の太陽電池セルの前記第１の極性の電極と、前記第２の太陽電池セルの前記第２の極性の電極を接続する第１のコネクタと、
前記第１の太陽電池セルの前記第２の極性の電極と、前記ダイオードの前記第１の極性の電極を接続する第２のコネクタと、
前記第１の太陽電池セルの前記第１の極性の電極と、前記ダイオードの前記第２の極性の電極のうち一方の電極を接続する第５のコネクタと、
前記第２の太陽電池セルの前記第１の極性の電極と、前記ダイオードの前記第２の極性の電極の他方の電極を接続する第４のコネクタと、
を備えることを特徴とするダイオード組込み太陽電池。
【請求項３】
前記第１の太陽電池セルに隣接する第３の太陽電池セルと、前記第２の太陽電池セルに隣接する第４の太陽電池セルとを有し、
前記第１の太陽電池セルの前記第２の極性の電極と、前記第３の太陽電池セルの前記第１の極性の電極を接続する第６のコネクタと、
前記第２の太陽電池セルの前記第１の極性の電極と、前記第４の太陽電池セルの前記第２の極性の電極を接続する第７のコネクタと、
を備えることを特徴とする請求項１、２いずれか記載のダイオード組込み太陽電池。
【発明の詳細な説明】
【技術分野】
【０００１】
この発明は、ダイオードが組み込まれた太陽電池（以下、「ダイオード組込み太陽電池」という）に関するものである。詳しくは、逆方向電圧が印加されたときに太陽電池セルが破壊されることを防止するためのバイパスダイオード（以下、単に「ダイオード」という）が組み込まれた太陽電池セル（以下、「ダイオード組込み太陽電池セル」という）を複数接続してなる太陽電池に関するものである。
【背景技術】
【０００２】
ＧａＡｓ太陽電池セルにダイオードを敷設したものとして、太陽電池セルのコーナークロップに平板型ダイオードを配した接続構造が知られている（例えば、特許文献１参照)。
【先行技術文献】
【特許文献】
【０００３】
【特許文献１】特許第４０３９９４９号公報（図９）
【発明の概要】
【発明が解決しようとする課題】
【０００４】
従来の太陽電池セルでは、１つの太陽電池セルに少なくとも１つのダイオードを実装していた。ここでダイオードは高価な部品であるため、多数の太陽電池セルがコネクタを介して電気的に接続されて構成される太陽電池では、１つの太陽電池セルに少なくとも１つ実装されるダイオード部品がコスト上昇の要因となっていた。
【０００５】
特に、高い信頼性が求められる人工衛星用の太陽電池では、ダイオード組込み太陽電池の信頼性の冗長度を高めるために、太陽電池セルに通常１つ実装されるダイオードの数を増やして、１つの太陽電池セルに２個のダイオードを並列に接続するということも要求されている。
この場合、ダイオードの実装数が単純に倍増するため、太陽電池の製品コストが更に増加するという課題があった。
【０００６】
この発明は係る課題を解決するためになされたものであり、従来よりもダイオード数を減らし、かつ、逆方向電圧が印加された際の破壊を防止可能なダイオード組込み太陽電池を提供することを目的とする。
【課題を解決するための手段】
【０００７】
この発明に係るダイオード組込み太陽電池は、太陽光を受光する受光面側に第１の極性の電極を有し、前記受光面と反対の裏面側に前記第１の極性と異なる第２の極性の電極を有する互いに隣接する第１の太陽電池セルおよび第２の太陽電池セルと、前記第２の極性を有し互いに電気的に分離された２つの電極と、前記第１の極性の電極を有するダイオードと、を有するダイオード組込み太陽電池であって、前記第１の太陽電池セルの前記第１の極性の電極と、前記第２の太陽電池セルの前記第２の極性の電極を接続する第１のコネクタと、前記第１の太陽電池セルの前記第２の極性の電極と、前記ダイオードの前記第１の極性の電極を接続する第２のコネクタと、前記第２の太陽電池セルの前記第２の極性の電極と、前記ダイオードの前記第２の極性の電極のうち一方の電極を接続する第３のコネクタと、前記第２の太陽電池セルの前記第１の極性の電極と、前記ダイオードの前記第２の極性の電極の他方の電極を接続する第４のコネクタとを備える。
【発明の効果】
【０００８】
この発明に係るダイオード組込み太陽電池によれば、従来よりもダイオードの実装数を削減し、かつ、太陽電池セルに逆方向電圧が印加された際の太陽電池セルの破壊を防止できる。
【図面の簡単な説明】
【０００９】
【図１】実施の形態１に係るダイオード組込み太陽電池の直列接続構造の上面図である。
【図２】実施の形態１に係るダイオード組込み太陽電池の直列接続構造のダイオード接続部分の拡大図である。
【図３】実施の形態１に係るダイオード組込み太陽電池の直列接続構造の側面図である。
【図４】（ａ）実施の形態１に係るダイオード組込み太陽電池の受光面側に２つ電極を有するダイオードの上面図、および（ｂ）側面図である。
【図５】実施の形態１を示すダイオード組込み太陽電池の直列接続構造の等価回路図である。
【図６】実施の形態２に係るダイオード組込み太陽電池の直列接続構造の上面図である。
【図７】実施の形態２に係るダイオード組込み太陽電池の直列接続構造の等価回路図である。
【図８】実施の形態３に係るダイオード組込み太陽電池の直列接続構造の上面図である。
【図９】実施の形態３に係るダイオード組込み太陽電池の直列接続構造のダイオード接続部分の拡大図である。
【図１０】実施の形態３に係るダイオード組込み太陽電池の直列接続構造の側面図である。
【図１１】実施の形態３に係るダイオード組込み太陽電池の直列接続構造の等価回路図である。
【図１２】実施の形態４に係るダイオード組込み太陽電池セルの直列接続構造の上面図である。
【図１３】実施の形態４に係るダイオード組込み太陽電池セルの直列接続構造の等価回路図である。
【図１４】（ａ）従来のダイオード組込み太陽電池セルのダイオード接続部分の拡大図である。（ｂ）従来のダイオード組込み太陽電池セルのダイオード接続部分の側面図である。
【図１５】（ａ）従来のダイオード組込み太陽電池セルの直列接続構造の上面図である。（ｂ）従来のダイオード組込み太陽電池セルの直列接続構造の側面図である。
【図１６】従来のダイオード組込み太陽電池セルの直列接続構造の等価回路図である。
【発明を実施するための形態】
【００１０】
ここでは、まず従来のダイオード組込み太陽電池セルについて図を参照し説明した後に、本発明の実施の形態に係るダイオード組込み太陽電池セルについて説明する。
【００１１】
図１４（ａ）は、従来のダイオード組込み太陽電池セルのダイオード実装例を説明する図である。図１４（ｂ)は図１４（ａ）に示すＡ-Ａ’の位置におけるダイオード組込み太陽電池の断面図である。
太陽電池セル１は、太陽光を受光する受光面側およびその裏面側にそれぞれ電極３（３ａ、３ｂ）、電極４が蒸着で形成されている。また、太陽電池セル１の受光面の表面には、受光面積をできるだけ減らさずに効率よく電力を収集できるように、細い金属線が蒸着されている（図示せず）。この細い金属線は太陽電池セル１の端部近傍にあるバー電極７（図１５参照）に接続され、バー電極７は太陽電池セルの受光面側にある電極３同士を接続するように蒸着されている。太陽電池セル１の裏面側は電極４が全面に蒸着されている。
バイパスダイオード２は太陽電池セル１の受光面側および裏面側にそれぞれ電極６および電極５を有する。
図１４（ａ）、（ｂ）に示すように、太陽電池セル１は少なくとも１つのコーナーが部分的に除去された斜角エッジを有し、その除去されたエッジ部にバイパスダイオード２が併置される。このように、セルを切り出す円板状の結晶基板を有効に活用するために、太陽電池セルに設けたコーナークロップに三角形の平板型ダイオードが敷設される。
【００１２】
金属板状のコネクタ１１は、その両端部が太陽電池セル１の受光面１側電極３及びダイオード２の受光面側の電極６とパラレルギャップ溶接等により各々接合される。
同様に、金属板状のコネクタ１０の両端部は、太陽電池セル１の裏面側電極４及びダイオード２の裏面側の電極５と、パラレルギャップ溶接等により各々接合される。
これにより、太陽電池セル１とダイオード２は電気的に並列に接続される。なお、太陽電池セル１の電極３とダイオード２の電極６は互いに異なる極性であり、太陽電池セル１の電極４とダイオード２の電極５も互いに異なる極性である。
このようにダイオード２を太陽電池セル２に並列となるように配線することで、太陽電池セル１に逆方向電圧が印加された場合であっても、ダイオード２の順方向特性によりダイオード２にのみ電流が流れ、太陽電池セル１の破損を防ぐことができる。
【００１３】
１枚の太陽電池セル１が発生する電圧は、太陽電池セルの基板材料により異なるが、０．５[Ｖ]〜３[Ｖ]程度である。そのため、所望の電圧を得るために、複数枚の太陽電池セルを直接に接続した回路を構成したものを電源とすることが一般的である。
【００１４】
図１５（ａ）は、特許文献１に開示された太陽電池のダイオード実装の別の例を説明する図である（上面図）。図１５（ｂ）は、図１５（ａ）に示した太陽電池セル１のＢ-Ｂ’の位置における太陽電池セルの側面図である。
図１５（ａ）、(ｂ)に示すように、第一の太陽電池セル１ａの受光面側にある三つの電極３ａ、３ｂおよび３ｃと第二の太陽電池セル１ｂの裏面側にある電極４ｂを接続するコネクタ９ａによって太陽電池セル１ａおよび１ｂは直列的に接続されている。
また、太陽電池セル１ａとダイオード２ａは、太陽電池セル１ａの裏面側にある電極４ａとダイオード２ａの裏面側にある電極５を接続するコネクタ１０ａによって接続されており、また、太陽電池セル１ｂの裏面側にある電極４ｂとダイオード２ａの受光面側にある電極６ａを接続するコネクタ８aによって接続されている。これにより、ダイオード２ａは太陽電池セル1ａと並列に接続される回路を構成する。
同様に、各ダイオードと各太陽電池セルはコネクタ８（８ａ〜８ｃ）とコネクタ１０（１０ａ〜１０ｃ）によって並列的に接続される。
【００１５】
図１６は、図１５で示した太陽電池セルを複数直列接続したときのダイオード組込み太陽電池の等価回路である。ここでは、仮に太陽電池セルの受光面側の電極３およびダイオード２の裏面側の電極５をＮ電極、太陽電池セルの裏面側の電極４およびダイオード２の受光面側にある電極６をＰ電極としている。
太陽電池セル１に逆方向電圧が印加された場合、ダイオードが接続された線路を電流が流れるため、太陽電池セルの破損を防ぐ接続構造となっている。
【００１６】
このようにして、特許文献１に記載された複数枚の太陽電池セル１はダイオード２と接続されて、逆方向電圧が印加された場合でも太陽電池セルの破損を防ぐことができる。
しかしながら、図１４、１５で示した従来のダイオード組込み太陽電池では、太陽電池セル１個に対して少なくとも１個のダイオードが必要である。
【００１７】
以下では、本発明の実施の形態として、ダイオードの実装数を削減したダイオード組込み太陽電池について説明する。
【００１８】
実施の形態１．
以下、実施の形態１に係るダイオード組込み太陽電池について図を用いて説明する。
図１は実施の形態１に係るダイオード組込み太陽電池を説明する図であり、太陽電池セル１ａ、１ｂ、１ｃ、１ｄはコネクタ９（９ａ、９ｂ、９ｃ）を用いて直列に接続される。なお、太陽電池セル１ａ、１ｂ、１ｃ、１ｄの構造は同一である。
太陽電池セル１ｂと１ｃとの間にダイオード２が配置される。一方、太陽電池セル１ａと１ｂの間および太陽電池セル１ｃと１ｄの間には、太陽電池セル１ｂと１ｃの間のダイオード２に相当するダイオードは配置されていない。このように、実施の形態１に係るオード組込み太陽電池は、太陽電池セル１ｂのコーナークロップにダイオード２が実装される一方で、太陽電池セル１ａ、１ｃのコーナークロップにはダイオード２は実装されず、１つおきに、太陽電池セル１のコーナークロップにダイオード２が実装される構造をとる。
図２は図１の太陽電池セル１ｂ、１ｃとダイオード２との接続部分を拡大した図である。図３は図２のＣ-Ｃ'の位置における断面を示した図である。
太陽電池セル１ｂは受光面側に４つの電極（３ｄ、３ｅ、３ｆ、３ｋ）を有し、これらの４つの電極は互いにバー電極７（７ｃ、７ｄ、７ｈ）で接続されている。太陽電池セル１ｂの電極３ｄ、３ｅ、３ｆは、太陽電池セル１ｃは、コネクタ９ｂを介して太陽電池セル１ｃの裏面側電極４ｃと接続される。
ダイオード２は図２のように受光面側に各々独立した２つの電極６ａ、６ｂを有し、裏面側には全面電極５を備える。
ダイオード２の電極６ａは隣接する太陽電池セル１ｃの受光面側の電極３ｍとコネクタ１１により電気的に接続される。また、ダイオード２の電極６ｂは隣接する太陽電池セル１ｃの裏面側の電極４ｃとコネクタ８によって電気的に接続される。また、ダイオード２の裏面電極５は太陽電池セル１ｂの裏面側の電極４ｂとコネクタ１０によって電気的に接続される。
【００１９】
このように、実施の形態１に係るダイオード組込み太陽電池１では、従来のように太陽電池セル１の各々にダイオード２が実装されるのではなく、２個の太陽電池セル（太陽電池セル１ｂ、１ｃ）に対して１個のダイオード２が使用される。
また、実施の形態１に係るダイオード組込み太陽電池セル１は、特許文献１の太陽電池セル（図１５の太陽電池セル１ｂ）が受光面側に有する電極３ｄ〜３ｆのほか、従来の太陽電池セルが受光面側に有する辺と相対する辺上の受光面側に他の電極３ｋを有する。
そして隣接する太陽電池セル（太陽電池セル１ａ、１ｂ、１ｃ、１ｄ）の間、および太陽電池セル１ｂとダイオード２の間は、コネクタ８、９、１０、１１によって電気的に接続される。
【００２０】
図４は実施の形態１で使用されるダイオード２の図であり（ａ）は上面図、（ｂ）は側面図である。ダイオード２はＰ層１２、Ｎ層１３、および電極６ａ、６ｂ、５から構成される。Ｐ層１２の一部にはエッチング等により溝が形成されて２つ領域に電気的に分離され、各層に電極６ａ、６ｂが設けられる。
【００２１】
次に、図１を用いて太陽電池セル１ａ〜１ｄとバイパスダイオード２との接続関係を説明する。
第一の太陽電池セル１ｂは、太陽電池セル１ｂの受光面側にある三つの電極３ｄ，３ｅ、および３ｆと第二の太陽電池セル１ｃの裏面側にある電極４ｃを接続するコネクタ９ｂによって、第二の太陽電池セル１ｃと直列に接続されている。
【００２２】
太陽電池セル１ｃの裏面側にある電極４ｃとダイオード２の受光面側にある電極６ｂを接続するコネクタ８、太陽電池セル１ｂの裏面側にある電極４ｂとダイオード２の裏面側にある電極５を接続するコネクタ１０および上述のコネクタ９ｂによって、太陽電池セル１ｂとダイオード２とは並列に接続される。
【００２３】
太陽電池セル１ｃの受光面側にある電極３ｍとダイオード２の受光面側にある電極６ａを接続するコネクタ１１および上述のコネクタ１０によって、ダイオード２は太陽電池セル１ｂおよび１ｃが直列に接続された回路と並列的に接続される。
【００２４】
例えば、太陽電池の受光面側にある電極３およびダイオードの裏面側にある電極５をＮ電極、太陽電池セルの裏面側にある電極４およびダイオードの受光面側にある電極６をＰ電極とすると、図１の太陽電池セルの接続構造は図５に示す等価回路に置き換えることが出来る。
この場合、各太陽電池セルに逆方向電圧が印加された場合、図中のダイオードが接続された線路に電流が流れるため、太陽電池セルの破損を防ぐ接続構造となる。
【００２５】
上記のように、実施の形態１は直列に接続された太陽電池セル２枚毎に、太陽電池セルに併置されるダイオードを一つ減らすことができる。したがって、ダイオード実装数は従来例のおよそ半数に削減することが可能である。
【００２６】
また、実施の形態１はダイオードの実装数が減ることにより、直列に接続された太陽電池セル２枚毎に２点の接続点を削減ため、製造時間の削減が可能である。
【００２７】
以上のように、実施の形態１に係るダイオード組込み太陽電池は、図１５で説明した従来構成と比較して、ダイオードの部品数並びに接続点数を減らすことができ信頼性が向上する。
【００２８】
実施の形態２．
以下、実施の形態２について、図を用いて説明する。
図６は本発明の実施の形態２を示したダイオード組込み太陽電池の直列接続構造の上面図である。構成部品は実施の形態１と同様であるが、１つの太陽電池セル毎に受光面側に二つの電極を有するダイオード２が並列に接続される。なお、実施の形態１と同一または相当する構成には同一番号を付し説明を省略する。
【００２９】
図６の直列接続構成では、例えば太陽電池セル１ｂは受光面側に二つの電極を有するダイオード２ａおよび２ｂが接続されている。
【００３０】
例えば、太陽電池の受光面側にある電極３およびダイオードの裏面側にある電極５をＮ電極、太陽電池セルの裏面側にある電極４およびダイオードの受光面側にある電極６をＰ電極とすると、図６の太陽電池セルの接続構造は図７に示す等価回路に置き換えることが出来る。
【００３１】
この場合、仮にダイオード２ｂが何らかの理由で故障したとしても、もう一方のダイオード２ａが作動するため、逆方向電圧が印加されても太陽電池セル１ｂを保護することが可能である。
【００３２】
以上のように実施の形態２に係るダイオード組込み太陽電池は、図１５で説明した従来のダイオード組込み太陽電池の直列接続構成と同数のダイオード実装数でありながら、１つの太陽電池セルに対して２つのダイオードが実装されたときと同様の冗長効果を持つ。したがって、従来の直列接続構成と比べ、逆方向電圧印加時の信頼性が大幅に向上する。
【００３３】
実施の形態３．
以下、実施の形態３について、図を用いて説明する。
図８は、本発明の実施の形態３におけるダイオード組込み太陽電池セルの直列接続構造の上面図である。
実施の形態３に係るダイオード組込み太陽電池は、受光面側に５つの電極を有する太陽電池セル１、太陽電池セルの受光面側にある電極３同士を接続するバー電極７、受光面側に２つの電極を有するダイオード２、および太陽電池セル同士または太陽電池セルとダイオードを直列的または並列的に接続するコネクタ９、１０および１１で構成される。
図９は、ダイオード接続構成部分（図８）を拡大したものである。また、図１０は、図９のダイオード接続構成部分の側面図である。
【００３４】
実施の形態３に係る太陽電池セル１は、実施の形態１で説明した太陽電池セル１ｂにおいて、図１４で示した受光面側に有する電極３ｂと同じ位置に電極３ｑが追加される。また、同電極３ｑはバー電極７ｈによって受光面側にある電極３ｄと接続された構造を有する。
【００３５】
第１の太陽電池セル１ｂは、太陽電池セル１ｂの受光面側にある三つの電極３ｄ、３ｅ、３ｆと、第２の太陽電池セル１ｃの裏面側にある電極４ｃを接続するコネクタ９ｂによって、第２の太陽電池セル１ｃと直列に接続される。
【００３６】
また、太陽電池セル１ｂの裏面側にある電極４ｂとダイオード２の裏面側にある電極５を接続するコネクタ１０、太陽電池セル１ｂの受光面側にある電極３ｑとダイオード２の受光面側にある電極６ｂを接続するコネクタ１１ｂおよび上述のコネクタ９ｂによって、太陽電池セル１ｂとダイオード２とは並列に接続される。
【００３７】
また、太陽電池セル１ｃの受光面側にある電極３ｍとダイオード２の受光面側にある電極６ａを接続するコネクタ１１および上述のコネクタ１０によって、ダイオード２は太陽電池セル１ｂおよび１ｃが直列に接続された回路と並列的に接続される。
【００３８】
ここで太陽電池の受光面側にある電極３およびダイオードの裏面側にある電極５をＮ電極、太陽電池セルの裏面側にある電極４およびダイオードの受光面側にある電極６をＰ電極とすると、図８の太陽電池セルの接続構造は図１１の等価回路に置き換えることが出来る。
この場合、各太陽電池セルに逆方向電圧が印加された場合、ダイオードが接続された線路に電流が流れるため、太陽電池セルの破損を防ぐ接続構造となる。
【００３９】
以上のように実施の形態３に係るダイオード組込み太陽電池は、実施の形態１と同様に、直列接続された太陽電池セルの２枚毎に、太陽電池セルに併置されるダイオードを１つ減らすことができる。
したがって、ダイオード実装数は図１４の従来例のおよそ半数に削減することが可能である。
【００４０】
また、実施の形態３はダイオードの実装数が減ることにより、直列に接続された太陽電池セル２枚毎に２点の接続点を削減ため、製造時間の削減が可能である。
【００４１】
実施の形態３は図１４の従来例に比べ、部品数並びに接続点数が減るため信頼性が向上する。
【００４２】
実施の形態４．
以下、実施の形態４について、図を用いて説明する。
図１２は本発明の実施の形態４に係るダイオード組込み太陽電池の上面図である。構成部品は実施の形態３と同様であるが、１枚の太陽電池セル毎に受光面側に二つの電極を有するダイオード２が並列に接続される。
【００４３】
図１２の直列接続構成では、例えば太陽電池セル１ｂは受光面側に二つの電極を有するダイオード２ａおよび２ｂが接続されている。
【００４４】
ここで、太陽電池の受光面側にある電極３およびダイオードの裏面側にある電極５をＮ電極、太陽電池セルの裏面側にある電極４およびダイオードの受光面側にある電極６をＰ電極とすると、図１２の太陽電池の接続構造は、図１３の等価回路に置き換えることが出来る。
この場合、仮にダイオード２ｂが何らかの理由で故障したとしても、もう一方のダイオード２ａが作動するため、逆方向電圧が印加されても太陽電池セル１ｂを保護することが可能である。
【００４５】
以上のように、実施の形態４に係るダイオード組込み太陽電池は、図１４の従来のダイオード組込み太陽電池セルを直列接続した構成と同数のダイオード実装数でありながら、太陽電池セル１枚ごとに２つのダイオードが実装されたのと同様の冗長性を有する。
したがって、従来の直列接続構成と比べ、逆方向電圧印加時の信頼性が大幅に向上させることができる。
【符号の説明】
【００４６】
１ 太陽電池セル、２ ダイオード、３ 太陽電池セル１の受光面側電極、４  太陽電池セル１の裏面側電極、５  ダイオード２の裏面側電極、６  ダイオード２の受光面側電極、７  太陽電池セル２のバー電極、８  太陽電池セル１の裏面側電極とダイオード２の受光面側電極を接続するコネクタ、９  太陽電池セル１の受光面側電極と隣り合う太陽電池セル１の裏面側電極を接続するコネクタ、１０  太陽電池セル１の裏面側電極とダイオード２の裏面側電極を接続するコネクタ、１１  太陽電池セル１の受光面側電極とダイオード２の受光面側電極を接続するコネクタ、１２  ダイオード２のＰ層、１３  ダイオード２のＮ層。
【図１】
2013138109.tif 000003
【図２】
2013138109.tif 000004
【図３】
2013138109.tif 000005
【図４】
2013138109.tif 000006
【図５】
2013138109.tif 000007
【図６】
2013138109.tif 000008
【図７】
2013138109.tif 000009
【図８】
2013138109.tif 000010
【図９】
2013138109.tif 000011
【図１０】
2013138109.tif 000012
【図１１】
2013138109.tif 000013
【図１２】
2013138109.tif 000014
【図１３】
2013138109.tif 000015
【図１４】
2013138109.tif 000016
【図１５】
2013138109.tif 000017
【図１６】
2013138109.tif 000018